(57)【要約】【課題】カセット自体で、サイド規制板の倒れを防止すること。【解決手段】シート収納装置は、シートが積載されて、複写機の装置本体に着脱自在に装着されたカセットと、シートの両端を整合する前サイド規制板５３及び後サイド規制板５４と、カセットに、互いに連動して前サイド規制板５３及び後サイド規制板５４と共に接近離間可能に設けられた前補助規制部材５６及び後補助規制部材５７とを備えている。後サイド規制板５４は、後係合片６５によって後サイド規制板５４を受け止めている。これによって、カセットを、複写機の装置本体に挿着するときのシートの慣性によって後サイド規制板５４の倒れを阻止することができる。【選択図】図４
2017149541.tif 000002
【特許請求の範囲】
【請求項１】
シートが積載されて、被装着部に着脱自在に装着されたカセットと、
前記カセットに、互いに連動して接近離間可能に設けられて、シートの両端を整合する１対の整合体と、
前記カセットに、互いに連動して接近離間可能に設けられた１対の補助体と、を備え、
前記１対の補助体のうち、一方の補助体は、前記１対の整合体の一方の整合体に係合し、他方の補助体は、他方の整合体に当接することで、前記１対の補助体が、前記他方の整合体の前記一方の整合体から離れる方向への回動を規制する、
ことを特徴とするシート収納装置。
【請求項２】
前記１対の整合体と前記１対の補助体は、前記カセットの着脱方向に移動可能であり、
前記一方の整合体と、前記一方の補助体は、前記着脱方向の手前側に配置され、
前記他方の整合体と、前記他方の補助体は、前記着脱方向の奥側に配置される、
ことを特徴とする請求項１に記載のシート収納装置。
【請求項３】
前記他方の補助体が前記他方の整合体に当接する位置は、前記一方の補助体が前記一の整合体に係合する位置よりも、高い位置に設定されている、
ことを特徴とする請求項１又は２に記載のシート収納装置。
【請求項４】
前記１対の補助体の各補助体は、前記カセットに設けられた補助ピニオンの両側に配置されて、前記補助ピニオンに両側から噛み合う補助ラックを有している、
ことを特徴とする請求項１乃至３のいずれか１項に記載のシート収納装置。
【請求項５】
請求項１乃至４のいずれか１項に記載のシート収納装置と、
前記シート収納装置に収納されてシートを給送する給送手段と、
前記給送手段によって給送されたシートに画像を形成する画像形成手段と、を備えた、
ことを特徴とする画像形成装置。
【発明の詳細な説明】
【技術分野】
【０００１】
本発明は、シートを収納するシート収納装置に関する。
【背景技術】
【０００２】
従来、静電転写プロセスを使用してシートに画像を形成する、複写機、プリンタ、ファクシミリ、及びこれらの複合機などの画像形成装置がある。このような画像形成装置は、シートを収納するシート収納装置を備えており、このシート収納装置から給送したシートに画像を形成するようになっている。
【０００３】
図８に示すように、シート収納装置１０１は、シートＰを積載して収納するカセット１０３と、カセット１０３に設けられて積載されたシートの両側端を整合する１対の整合部材１０２と、１対の整合部材１０２に設けられた分離爪１０２ａ等を備えている。分離爪１０２ａは、カセットからシートが重なって給送されないように、給送するシートを１枚ずつに分離する役目をするようになっている。
【０００４】
しかし、カセット１０３は、画像形成装置の装置本体に着脱自在に設けられて、装置本体に装着された状態で使用されるようになっている。このため、ユーザがカセット１０３を装置本体に着脱するとき、カセット１０３に収納されたシートの慣性によって、整合部材がシートに押されて傾くことがある。このような状態でカセット１０３から送り出されたシートは、正規の位置からずれた位置を給送されて搬送される。このため、その後、シートは搬送路に詰まることがある。また、シートに形成される画像の位置が、ずれることがある。
【０００５】
そこで、１対の整合部材の位置ずれや、傾きを防止したシート収納装置がある（特許文献１）。このシート収納装置は、図９に示すように、カセット１２０に１対の整合部材１２２Ａ，１２２Ｂを備えている。１対の整合部材１２２Ａ，１２２Ｂは、カセット１２０に回転自在に設けられた小径ピニオン１６２の両側から噛み合うラック１３０Ａ，１３０Ｂを有して、カセット１２０の着脱方向に互いに接近離間してシートの両側端を整合するようになっている。図９において、右方向がカセットの装着方向であり、左方向がカセットの引き出し方向である。一方の整合部材１２２Ａのシートを整合する面の反対側の面には、テーパ状の凸部１６０が突設されている。なお、他方の整合部材１２２Ｂのシートに当接してシートを整合する部分は、図示省略してある。
【０００６】
整合部材１２２Ａの下面とカセット１２０との間には、倒れ防止部材１４０を有する保持部材１４１が配置されている。保持部材１４１は、保持部材１４１に形成された長孔形状のガイド孔１４５と、カセット１２０に立設された１対のガイドピン１４６とを案内にして、整合部材１２２Ａの移動方向と直交する方向に移動可能にカセット１２０に設けられている。保持部材１４１には、小径ピニオン１６２と一体の大径ピニオン１６３に噛み合うラック１４４が形成されている。
【０００７】
倒れ防止部材１４０は、凸部１６０に当接しており、カセット１２０が装置本体１０９Ａに挿入されると、装置本体１０９Ａに形成された凹部１５０に進入して受け止められ、凸部１６０を介して整合部材１２２Ａが図９の右側に倒れるのを防止する。
【０００８】
幅の狭いシートの幅整合をするために、整合部材１２２Ａを矢印Ｈ方向へ移動させると、凸部１６０が整合部材１２２Ａと一体に矢印Ｈ方向へ移動する。また、小径ピニオン１６２、大径ピニオン１６３が左回転し、保持部材１４１が矢印Ｖ方向に移動し、倒れ防止部材１４０が保持部材１４１と一体に矢印Ｖ方向に移動する。逆に幅の広いシートの幅整合をするために、整合部材１２２Ａを矢印Ｈと反対方向に移動させると、倒れ防止部材１４０が保持部材１４１と一体に矢印Ｖ方向と反対方向に移動する。
【０００９】
このように、シートの幅整合をするために、整合部材１２２Ａを図９の左右方向へ移動させても、倒れ防止部材１４０は、凸部１６０に当接した状態を維持して、凹部１５０に受け止められるので、整合部材１２２ａの倒れを防止することができる。
【先行技術文献】
【特許文献】
【００１０】
【特許文献１】特開２００２−２１１７７０号公報
【発明の概要】
【発明が解決しようとする課題】
【００１１】
このように、従来のシート収納装置は、カセットの倒れ防止部材１４０が画像形成装置の装置本体１０９Ａに受け止められて、整合部材１２２Ａの倒れを防止している。このため、従来のシート収納装置は、カセットが移動することにより慣性が発生するカセット挿入中は、倒れ防止部材１４０と凹部１５０は離間しているので、カセット自体で、整合部材が倒れるのを防止できないという問題があった。
【００１２】
また、このようなシート収納装置を備えた画像形成装置は、シートの幅が狭いと倒れ防止部材１４０が凹部１５０と当接するためには倒れ防止部材１４０の全長を長くする必要があり、構造が複雑になるという問題があった。
【００１３】
本発明は、カセット自体で、整合部材の倒れを防止することができるシート収納装置を提供することにある。
【課題を解決するための手段】
【００１４】
本発明のシート収納装置は、シートが積載されて、被装着部に着脱自在に装着されたカセットと、前記カセットに、互いに連動して接近離間可能に設けられて、シートの両端を整合する１対の整合体と、前記カセットに、互いに連動して接近離間可能に設けられた１対の補助体と、を備え、前記１対の補助体のうち、一方の補助体は、前記１対の整合体の一方の整合体に係合し、他方の補助体は、他方の整合体に当接することで、前記１対の補助体が、前記他方の整合体の前記一方の整合体から離れる方向への回動を規制する、ことを特徴としている。
【００１５】
本発明の画像形成装置は、上記のシート収納装置と、前記シート収納装置に収納されてシートを給送する給送手段と、前記給送手段によって給送されたシートに画像を形成する画像形成手段と、を備えた、ことを特徴としている。
【発明の効果】
【００１６】
本発明のシート給送装置は、カセット自体で、整合部材の倒れを防止することができる。
【図面の簡単な説明】
【００１７】
【図１】本発明の実施形態のシートに画像を形成する画像形成装置としての複写機をシート搬送方向に沿った断面概略図である。
【図２】本発明の実施形態のシート収納部（シート収納装置）と給紙部（給送手段）とからなるメイン給紙ユニットの斜視図であり、シート収納部にシートが載置されている図である。
【図３】図２のシート収納部の斜視図である。
【図４】図３の１対のサイド規制板と１対の補助規制部材との斜視図である。
【図５】図４の前サイド規制板と前補助規制部材との係合部分の拡大図である。
【図６】図２のロック機構が前サイド規制板をカセットにロックしている状態の図である。（Ａ）は、ロック機構の斜視図である。（Ｂ）は、ロック機構の縦断面図である。（Ｃ）は、爪部同士が噛み合っている図である。
【図７】ユーザによって、ロック機構が前サイド規制板をカセットからロック解除している状態の図である。（Ａ）は、ロック機構の斜視図である。（Ｂ）は、ロック機構の縦断面図である。（Ｃ）は、爪部同士が離間している図である。
【図８】従来の誤作動を説明するための図である。
【図９】従来のシート収納装置の平面図である。
【発明を実施するための形態】
【００１８】
以下、本発明の実施形態の画像形成装置としての複写機と、複写機の装置本体に設けられた本発明の実施形態のシート収納装置とを図に基づいて説明する。
【００１９】
図１は、本発明の実施形態のシートに画像を形成する画像形成装置としての複写機をシート搬送方向に沿った断面概略図である。画像形成装置には、複写機の他に、プリンタ、ファクシミリ、及びこれらの複合機などがある。このため、画像形成装置は、複写機のみに限定されるものではない。
【００２０】
複写機１０は、装置本体１０Ａと、装置本体１０Ａの上部に設けられた画像読取装置３９とで構成されている。複写機１０は、外部のコンピュータから送られてくる画像情報や画像読取装置３９で取り込んだ画像情報を不図示の画像処理部で受信する。その受信された画像情報は、レーザ発光書込ユニット１１により光変調情報に変換されてレーザ光として、回転する感光ドラム１８の外周に照射されてスポット状に結像される。感光ドラム１８に照射された光スポットは、主走査方向（感光ドラム１８の軸方向）に往復走査される。この結果、感光ドラム１８の外周には、原稿画像情報に対応した静電潜像が形成される。静電潜像は、トナー現像器１９が、トナーボトルユニット１６から供給される現像剤（トナー）によって、トナー現像されて、トナー画像となる。
【００２１】
一方、装置本体１０Ａの下部には、シート収納装置としてのシート収納部２０（詳細は後述する）が設けられている。シート収納部２０は、ユーザによって載置されるシートＰを収納するカセット５１を備えている。カセット５１は、装置本体１０Ａに対して着脱可能に装着されている。シートは、カセット５１内に上下方向に傾動自在に設けられた中板５２に載置される。
【００２２】
中板５２に押し上げられたシートは、給送手段としての給送部４０のピックアップローラ４１によってカセット５１から搬送ローラ４２と分離ローラ４３とに送り出される。重なっているシートは、搬送ローラ４２と分離ローラ４３とによって、１枚に分離される。シートは縦パスローラ４４によって給紙通路１４を搬送される。シート収納部２０と給送部４０はメイン給紙ユニット１２を構成している。
【００２３】
シートは、給紙通路１４に設けられて回転を停止している１対のレジストローラ１５ａ，１５ｂのニップに突き当てられる。１対のレジストローラ１５ａ、１５ｂは、感光ドラム１８の外周に形成されているトナー画像の位置にシートの位置が合うタイミングで回転して、シートを感光ドラム１８と転写ローラ１７との間に送り込む。
【００２４】
図１のメイン給紙ユニット１２の右側には、カセット５１とは異なるサイズのシートＰを給送できるマルチ給紙ユニット１３が設けられている。このマルチ給紙ユニット１３は、手差しによるシートＰを給紙通路１４に給送して、１対のレジストローラ１５ａ，１５ｂに突き当てることができるようになっている。マルチ給紙ユニット１３から給送されたシートも、１対のレジストローラ１５ａ，１５ｂの回転により、感光ドラム１８の外周に形成されているトナー画像の位置に合うタイミングで感光ドラム１８と転写ローラ１７との間に送り込まれる。感光ドラム１８の転写領域には、転写ローラ１７が接触している。転写ローラ１７には転写バイアスが印加されている。転写ローラ１７は、転写バイアスによって、感光ドラム１８上に形成されたトナー画像をシートに静電的に転写するようになっている。転写ローラ１７、感光ドラム１８、トナー現像器１９等は画像形成手段を構成している。
【００２５】
転写ローラ１７によって、感光ドラム１８のトナー画像が転写されたシートは、転写ローラ１７と感光ドラム１８との回転によって、感光ドラム１８の下流に配置された定着装置２１に搬送される。定着装置２１には、定着フィルム２１ａが環状をなすように配置されているとともに、その定着フィルム２１ａに対面する加圧ローラ２１ｂが配置されている。そして、定着フィルム２１ａと加圧ローラ２１ｂとのニップにおける加圧、加熱作用によって、シートにトナー画像が定着される。トナー画像が定着されたシートは、定着装置２１の下流に配置された排紙部２４の排紙通路２２内に搬送された後、排紙通路２２に設けられた排紙ローラ２３によって、装置本体１０Ａの上部に設けられた排紙トレイ２５に排出される。
【００２６】
排紙部２４の上方には、上段排紙部２６と、反転部２７が備えられている。上段排紙部２６は、第１フラッパ２８により上方へ案内されたシートを、排紙搬送ローラ２９と上段排紙ローラ３０とにより、排紙トレイ２５の上方側に設けられた上段排紙トレイ３１上に排出する。
【００２７】
装置本体１０Ａの上部の右側は、開閉扉３２によって開閉されるようになっている。開閉扉３２の内側には、両面搬送路３３が配置されている。他方の面にもトナー画像を形成する必要のあるシートは、第１フラッパ２８および排紙搬送ローラ２９の上方側に配置された第２フラッパ３４及び第３フラッパ３５により搬送方向が切り替えられ、排紙搬送ローラ２９により反転ローラ３６に搬送される。反転ローラ３６は、シートの先端側が反転トレイ３７の上方に突出するように搬送し、シートを所定量搬送すると逆回転する。反転ローラ３６が逆回転することにより、シートは、第３フラッパ３５の案内により両面搬送路３３に案内される。この間にシートは、スイッチバック搬送されて表裏反転させられたことになる。
【００２８】
表裏反転されたシートは、両面搬送路３３の案内と、両面搬送路３３に設けられた両面搬送ローラ３８の搬送とによって給紙通路１４に再度送り込まれる。その後、シートは、一方の面にトナー画像を形成されたときと同様にして他方の面にもトナー画像が形成されて、排紙トレイ２５或いは上段排紙トレイ３１に排出される。
【００２９】
（シート収納部）
図２は、本発明の実施形態のシート収納部（シート収納装置）２０と給紙部（給送手段）４０とからなるメイン給紙ユニット１２の斜視図であり、シート収納部２０にシートＰが載置されている図である。図３は、図２のシート収納部２０の斜視図である。図４は、図３の１対のサイド規制板５３，５４と１対の補助規制部材５６，５７との斜視図である。図５は、図４の前サイド規制板５３と前補助規制部材５６との係合部分の拡大図である。図６は、図２のロック機構９０が前サイド規制板５３をカセット５１にロックしている状態の図である。図６（Ａ）は、ロック機構９０の斜視図である。図６（Ｂ）は、ロック機構の縦断面図である。図６（Ｃ）は、爪部６３ａ，６３ｂ同士が噛み合っている図である。
図７は、ユーザによって、ロック機構９０が前サイド規制板５３をカセット５１からロック解除している状態の図である。図７（Ａ）は、ロック機構９０の斜視図である。図７（Ｂ）は、ロック機構９０の縦断面図である。図７（Ｃ）は、爪部６３ａ，６３ｂ同士が離間している図である。
【００３０】
図１、図２に示すように、メイン給紙ユニット１２は、シート収納部２０と、給送部４０とを備えている。給送部４０は、給紙ローラユニット４６と、搬送ローラ４２、分離ローラ４３などを備えている。
【００３１】
給紙ローラユニット４６は、角軸４７と、角軸４７に不図示の軸受を介して設けられた半円形状のピックアップローラ４１及び給紙コロ４５等で形成されている。ピックアップローラ４１及び給紙コロ４５は、不図示の機構によって回転力を受けて回転し、シートをカセット５１からシート搬送方向Ｅ方向に送り出すようになっている。搬送ローラ４２と分離ローラ４３は、装置本体１０Ａに設けられて、カセット５１からシートが送り出される位置に配置されている。搬送ローラ４２と分離ローラ４３は、ピックアップローラ４１によってカセット５１から送り出されたシートを縦パスローラ４４に搬送するようになっている。また、搬送ローラ４２と分離ローラ４３は、カセット５１から送り出されたシートが重なっている場合、最上位のシートのみを搬送するようになっている。
【００３２】
図１乃至図３に示すように、シート収納部２０は、主に、次の構成要素によって形成されている。シートが積載されて、装置本体（被装着部）１０Ａに着脱自在に装着されるカセット５１。カセット５１に、互いに連動して接近離間可能に設けられて、シートの両端を整合する前サイド規制板５３及び後サイド規制板５４（１対の整合体）。カセット５１に、互いに連動して前補助規制部材５６及び後補助規制部材５７と共に接近離間可能に設けられた、前補助規制部材５６及び後補助規制部材５７（１対の補助体）。前サイド規制板５３と前補助規制部材５６は、ユーザから見て手前側に配置されている。後補助規制部材５７と後補助規制部材５７は、ユーザから見て奥側に配置されている。
【００３３】
カセット５１のシート搬送方向Ｅと平行な両側の前側板５１ａと後側板５１ｂとの中間部分には、中板支持軸７０が内側に向けて突設されている。中板支持軸７０には、中板５２が回転自在に設けられている。中板５２は、前サイド規制板５３と後サイド規制板５４の後述するラック片５３ｅ，５４ｅの上に位置している。中板５２は、中板支持軸７０を中心にして、シート搬送方向の下流側が上下動するようになっている。カセット５１のシート搬送方向Ｅの上流側には、シートの後端を整合する後端整合版５９がシート搬送方向に往復移動（矢印Ｊ，Ｋ方向）可能に設けられている。
【００３４】
図２乃至図４に示すように、前サイド規制板５３と後サイド規制板５４は、カセット１５の内側に配置されて、断面Ｌ字状に形成されている。前サイド規制板５３と後サイド規制板５４は、シートのシート搬送方向Ｅに沿った側端を整合する側面部５３ｄ，５４ｄと、側面部５３ｄ，５４ｄの下部から直角に折れ曲がって、カセットの内側に延びたラック片５３ｅ，５４ｅとで形成されている。ラック片５３ｅ，５４ｅは、不図示の案内機構に案内されて、カセット５１の底板５１ｃ上を摺動するようになっている。カセット５１の底板５１ｃには、整合ピニオン５５が回転自在に設けられている。ラック片５３ｅ，５４ｅは、互いにすれ違うように延びて整合ピニオン５５の両側に位置している。ラック片５３ｅ，５４ｅの対向する縁には、整合ピニオン５５に噛み合う整合ラック５３ａ，５４ａが形成されている。さらに、前サイド規制板５３と後サイド規制板５４のシート搬送方向Ｅの下流側の上部角内側には、シートが重なってカセットが送り出されないようにシートを捌いて分離する分離爪６７，６８が突設されている。
【００３５】
カセット５１のシート搬送方向Ｅの下流側の端部壁５１ｄの外側には、前補助規制部材５６及び後補助規制部材５７がカセット挿入方向Ｆとカセット引き出し方向Ｇとに移動可能に設けられている。前補助規制部材５６は、長尺の形状をして、端部壁５１ｄの下部に沿って設けられている。後補助規制部材５７も、長尺の形状をして、端部壁５１ｄの上部に沿って設けられている。
【００３６】
カセット５１の端部壁５１ｄの中間部には、補助ピニオン５８が回転自在に設けられている。補助ピニオン５８は、前補助規制部材５６と後補助規制部材５７との間に配置されている。前補助規制部材５６と後補助規制部材５７には、補助ピニオン５８の両側から噛み合う補助ラック５６ａ，５７ａが形成されている。整合ピニオン５５と補助ピニオン５８はピッチ円が同径である。
【００３７】
前補助規制部材５６は、補助ピニオン５８に対してカセット５１の引き出し方向Ｇに延びている。その延びた端部の下角には、前係合片６４が設けられている。前係合片６４は、端部壁５１ｄを貫通してカセット５１の内側に底板５１ｃに平行に突出している。図５に示すように、前係合片６４は、前サイド規制板５３の端部折り曲げ片５３ｂの下端に形成された切欠５３ｃに係合している。端部折り曲げ片５３ｂは、カセットの引き出し方向Ｇに折れ曲がっている。また、前係合片６４は、前補助規制部材５６と一体に端部壁５１ｄに沿ってカセットの着脱方向Ｆ，Ｇ方向に移動するようになっている。このため、カセット５１の端部壁５１ｄには、前係合片６４が移動できるように、端部壁５１ｄの下部にスリット５１ｅが形成されている。
【００３８】
後補助規制部材５７は、補助ピニオン５８に対してカセット５１の挿入方向Ｆに延びている。その延びた端部の上角には、後係合片６５が設けられている。図４に示すように、後係合片６５は、後サイド規制板５４の上部角の外側に位置して、その上部角を外側から受け止めるように形成されている。また、後係合片６５は、後補助規制部材５７と一体に端部壁５１ｄに沿ってカセットの着脱方向Ｆ，Ｇ方向に移動するようになっている。このため、カセット５１の端部壁５１ｄには、後係合片６５が移動できるように、端部壁５１ｄの上部にスリット５１ｆ（図３）が形成されている。
【００３９】
図２、図６乃至図７において、前サイド規制板５３の、カセット５１の前側板５１ａ側には、ロック機構９０が設けられている。ロック機構９０は、前サイド規制板５３をカセット５１の底板５１ｃにロック解除可能にロックするようになっている。ロック機構９０は、つまみ６０と、ストッパ６１と、圧縮ばね６２等で構成されている。
【００４０】
つまみ６０は、つまみ６０と一体の支持軸９１を、前サイド規制板５３から切起した１対の切起し片５３ｆに係合させて、縦の状態で前サイド規制板５３に接近離間する方向に回転自在に設けられている。ストッパ６１は、前サイド規制板５３に昇降自在に設けられている。つまみ６０とストッパ６１は、つまみ６０の係合片６０ａとストッパ６１の被係合部６１ａとが係合して、連動するようになっている。圧縮ばね６２は、前サイド規制板５３に突設された突起５３ｇと、ストッパ６１の被係合部６１ａとの間に設けられている。圧縮ばね６２は、ストッパ６１を押し下げるとともに、つまみ６０が前サイド規制板５３側へ傾くように、ストッパ６１とつまみ６０に弾力を加えている。
【００４１】
ロック機構９０の動作を説明する。図６の状態において、圧縮ばね６２は、ストッパ６１を押し下げるとともに、つまみ６０を前サイド規制板５３側へ傾けている。ストッパ６１は、圧縮ばね６２に押し下げられて、ストッパ６１の下端に形成された爪部６３ｂ（図６（Ｃ））をカセット５１の底板に形成された爪部６３ａに噛み合わせている。爪部６３ａ，６３ｂは、ラチェット６３を構成している。これによって、前サイド規制板５３は、カセット５１の挿入方向Ｆと、カセット５１の引き出し方向Ｇとに移動しないように、カセット５１の底板５１ｃに位置決めされている。図７に示すように、ユーザがつまみ６０の上端部を前サイド規制板５３から離れる方向に回転させると、つまみ６０の係合片６０ａがストッパ６１の被係合部６１ａを圧縮ばね６２に抗して押し上げて、ストッパ６１を引き上げる。これによって、ストッパ６１の爪部６３ｂ（図７（Ｃ））がカセット５１の爪部６３ａから離れて、前サイド規制板５３をカセット５１の挿入方向Ｆと、カセット５１の引き出し方向Ｇとのいずれかの方向に移動させて位置を調整することができる。
【００４２】
シート収納部２０の動作を説明する。
【００４３】
シートをカセット５１に収納するときシートの幅サイズ（シート搬送方向Ｅに対して直交する方向のサイズ）に合わせて、前サイド規制板５３と後サイド規制板５４との間隔を調整する必要がある。幅サイズが狭いシートのときには、前サイド規制板５３と後サイド規制板５４とを互いに接近させて間隔を狭くする必要がある。逆に、幅サイズが広いシートのときには、前サイド規制板５３と後サイド規制板５４とを互いに離間させて間隔を広くする必要がある。
【００４４】
このように、シートの幅サイズに応じて、前サイド規制板５３と後サイド規制板５４との間隔を調整する場合、まず、ロック機構９０による前サイド規制板５３のカセットの底板５１ｃに対するロックを解除する。そして、前サイド規制板５３を図２の矢印Ｆ方向、或いは矢印Ｇ方向へ移動させる。すると、図４において、整合ラック５３ａ、整合ピニオン５５、整合ラック５４ａによって、後サイド規制板５４と前サイド規制板５３とが、互いに接近或いは離間する方向へ移動する。
【００４５】
また、これと同時に、図５に示す前サイド規制板５３に係合している前補助規制部材５６が前サイド規制板５３と一体に同じ方向へ移動する。すると、図３における、補助ラック５６ａ、補助ピニオン５８、補助ラック５７ａによって、後補助規制部材５７が、前補助規制部材５６とは逆方向へ移動する。すなわち、後補助規制部材５７と後サイド規制板５４は、同じに方向へ移動する。しかも、整合ピニオン５５と補助ピニオン５８はピッチ円が同径であるので、後補助規制部材５７と後サイド規制板５４との移動量は同じである。したがって、後補助規制部材５７の後係合片６５は、後サイド規制板５４に常時接触していることなる。前サイド規制板５３と後サイド規制板５４との間隔を調整した後、ロック機構９０で前サイド規制板５３をカセット５１の底板５１ｃにロックすると、後サイド規制板５４と、後補助規制部材５７及び後サイド規制板５４も、カセット５１に位置決め固定される。
【００４６】
このようにして、前サイド規制板５３と後サイド規制板５４との間隔を調整して、カセット５１にシートを収納した後、カセット５１を装置本体１０Ａに装着して、装置本体１０Ａに所定量挿入すると、挿入規制されて、それ以上、挿入することができなくなる。そのとき、シートが慣性によって、後サイド規制板５４をカセット挿入方向Ｆに押すため、後サイド規制板５４は、奥側へ傾こうとする。
【００４７】
すると、後サイド規制板５４は、後サイド規制板５４に当接している後係合片６５を介して後補助規制部材５７をカセット挿入方向Ｆへ移動させようとする。そして、後補助規制部材５７は、補助ラック５７ａ、補助ピニオン５８、補助ラック５６ａを介して前補助規制部材５６をカセット挿入方向Ｆへ移動させようとする。しかし、前補助規制部材５６は、ロック機構９０によってカセット５１の底板５１ｃにロックされている前サイド規制板５３に係合しており、カセット挿入方向Ｆへ移動することができない。このため、後補助規制部材５７もカセット挿入方向Ｆへ移動することができない。
【００４８】
この結果、後補助規制部材５７は、後係合片６５を介して、後サイド規制板５４がカセット挿入方向Ｆへ傾く（回動する）のを阻止して、シートの幅整合が乱れるのを防止することができる。
【００４９】
また、以上の構成において、前補助規制部材５６が前サイド規制板５３に係合する前係合片６４の位置は、後補助規制部材５７が後サイド規制板５４を受け止める後係合片６５の位置よりも、低い位置に設定されている。これは、前係合片６４は、カセットの挿着時において、前サイド規制板５３のシートの慣性による変形の少ない前サイド規制板５３の下端の切欠５３ｃに係合しているので、カセットの挿着によって、位置がずれることが少ない。また、後係合片６５は、カセットの挿着時において、シートの慣性によって、倒れ量の多い、後サイド規制板５４の上部角の外側を受け止めている。これらのことによって、シート収納部２０は、後サイド規制板５４の倒れを極力少なくすることができるようになっている。
【００５０】
さらに、以上の説明は、カセットを装置本体１０Ａに装着するとき、シートの慣性力が後サイド規制板５４に加わる場合についての説明であった。しかし、カセットを装置本体１０Ａに装着する前の取扱い中において、カセットを傾けると、後サイド規制板５４にシートの重量が加わり、後サイド規制板５４が傾くことがある。このような場合においても、本実施形態のシート収納部２０は、後サイド規制板５４の傾きを防止することができる。
【００５１】
また、ロック機構９０は、前サイド規制板５３をロックするようになっているが、これは、ロック機構９０をカセット５１の手前側に設けてあった方が、ロック機構９０を操作し易いからであって、後サイド規制板５４に設けてあってもよい。
【００５２】
ロック機構９０を後サイド規制板５４に設けた場合、前係合片６４に相当する部材を後補助規制部材５７に設け、後係合片６５に相当する部材を前補助規制部材５６に設けるのが好ましい。このようにすると、装置本体１０Ａにカセット５１を押し込み開始時に前サイド規制板５３に加わるシートの慣性力による、前サイド規制板５３の傾きを防止することができる。
【００５３】
さらに、このようなシート収納部２０を備えた複写機は、カセット１５から送り出されるシートの幅方向の位置の誤差が少なくなり、給紙通路１４内でのシート詰まりを少なくすることができる。また、複写機は、シートの所定の位置にトナー画像を形成することができて、トナー画像の画質の低下を防止することができる。
【００５４】
以上の実施形態における、前サイド規制板と後サイド規制板とを連動する機構、前補助規制部材と後保持規制部材とを連動する機構、そして、前サイド規制板をロックする機構は、これら限定されるものでなく、同様な機能を備えているものであってもよい。
【００５５】
また、本実施形態ではサイド規制板に重送シートを分離する分離爪を設けたが、サイド規制板に分離爪を設けずに、カセットから給送された後の給送路にて重送シートを分離する構成を備えているものであっても良い。
【符号の説明】
【００５６】
１０：複写機（画像形成装置）、１０Ａ：複写機の装置本体（被装着部）、１８：感光ドラム（画像形成手段）、１９：トナー現像器、２０：シート収納部（シート収納手段）、３９：画像読取装置、４０：給送部（給送手段）、４１：ピックアップローラ、４２：搬送ローラ、４３：分離ローラ、５１：カセット、５１ａ：前側板、５１ｂ：後側板、５１ｃ：底板、５１ｄ：端部壁、５１ｅ：スリット、５１ｆ：スリット、５３：前サイド規制板（１対の整合体）、５３ａ：整合ラック、５３ｂ：端部折り曲げ片、５３ｃ：切欠、５３ｄ：側面部、５３ｅ：ラック片、５４：後サイド規制板（１対の整合体）、５４ａ：整合ラック、５４ｄ：側面部、５４ｅ：ラック片、５５：整合ピニオン、５６：前補助規制部材（１対の補助体）、５６ａ：補助ラック、５７：後補助規制部材（１対の補助体）、５７ａ：補助ラック、５８：補助ピニオン、６４：前係合片、６５：後係合片、９０：ロック機構、Ｐ：シート。
【図１】
2017149541.tif 000003
【図２】
2017149541.tif 000004
【図３】
2017149541.tif 000005
【図４】
2017149541.tif 000006
【図５】
2017149541.tif 000007
【図６】
2017149541.tif 000008
【図７】
2017149541.tif 000009
【図８】
2017149541.tif 000010
【図９】
2017149541.tif 000011